(57)【要約】【課題】この発明は、シンク情報を検出するための新規な情報を記録することなく、ウォブル変調によって記録されたシンク情報を高い信頼性を持って検出し得るようにした光ディスク再生装置及び光ディスク再生方法を提供することを目的としている。【解決手段】位相検波信号とシンクパターン雛形信号とのパターン比較結果が一致したときにフラグを発生するシンク検出手段（１３）と、ウォブルクロックを所定のウォブル周期毎に分割し、その分割されたウォブルクロックのうち位相検波信号の位相エッジが集中する位相に対応してフラグを発生する位相検出手段（１４，１７）と、位相検出手段（１４，１７）の出力フラグでシンク検出手段（１３）の出力範囲を制限し、シンクパターンの検出フラグを出力する制限手段（１８）とを備える。【選択図】    図４
2005190561.tif 000002
【特許請求の範囲】
【請求項１】
第１のウォブル信号と前記第１のウォブル信号に対して逆相関係に変調された第２のウォブル信号との組み合わせに基づいて、シンク情報及びアドレス情報が記録された光ディスクを再生するもので、
前記光ディスクから読み取った第１及び第２のウォブル信号から、前記シンク情報を検出してシンク検出信号を出力するシンク検出手段と、
前記光ディスクから読み取った第１及び第２のウォブル信号から、それらの変調状態に対応した極性を有する位相検波信号を生成する位相検波手段と、
前記位相検波手段で生成された位相検波信号のうち、一定周期で得られる前記アドレス情報の位相エッジに同期した一定周期の信号を生成する生成手段と、
前記生成手段で生成された信号に同期したタイミングで前記シンク検出手段から出力される検出信号を有効とし、それ以外のタイミングで得られる検出信号を無効とするマスク手段とを具備したことを特徴とする光ディスク再生装置。
【請求項２】
第１のウォブル信号と前記第１のウォブル信号に対して逆相関係に変調された第２のウォブル信号とを、それぞれ特定のウォブル周期で交互に配置することによりシンクパターンを形成した第１のデータユニットでなるシンク領域と、
前記第１及び第２のウォブル信号を互いに等しいウォブル周期で任意に配置可能とする部分を有し、それぞれが前記第１のデータユニットと同じウォブル周期で構成される第２のデータユニットを複数個有し、全体でアドレス情報を形成するアドレス領域とを有し、
前記シンク領域と前記アドレス領域とを含んだ一定の記録長単位で物理アドレスが記録され、
前記物理アドレスの一定の記録長単位を構成するウォブル周期と、前記第２のデータユニットで任意に配置可能とされる前記第１及び第２のウォブル信号のウォブル周期とが、それぞれ所定のウォブル周期の倍数となっている光ディスクを再生するもので、
前記光ディスクから読み取った第１及び第２のウォブル信号から、それらの変調状態に対応した極性を有する位相検波信号を生成する位相検波手段と、
前記位相検波手段で生成された位相検波信号のパターンが、予め設定されたシンクパターン雛形信号のパターンに対応した状態でフラグを発生するシンク検出手段と、
前記光ディスクから読み取った第１及び第２のウォブル信号から、それらの周期に等しい周期を有するウォブルクロックを生成するクロック生成手段と、
前記クロック生成手段で生成されたウォブルクロックを前記所定のウォブル周期毎に分割し、その分割されたウォブルクロックの各位相に対して、前記位相検波手段で生成された位相検波信号の位相エッジが集中する位相を検出し、該検出された位相に対応してフラグを発生する位相検出手段と、
前記位相検出手段から出力されるフラグに基づいて、前記シンク検出手段の出力範囲を制限し、前記シンクパターンの検出フラグを出力する制限手段とを具備したことを特徴とする光ディスク再生装置。
【請求項３】
前記クロック生成手段で生成されたウォブルクロックをカウントし、前記制限手段から出力される検出フラグでプリセットされるカウンタと、
前記カウンタのカウント値に基づいて、前記位相検波手段で生成された位相検波信号から前記アドレス領域を判別し、アドレス情報を検出するアドレス検出手段とを具備したことを特徴とする請求項２記載の光ディスク再生装置。
【請求項４】
前記位相検出手段は、前記所定のウォブル周期毎に分割されたウォブルクロックの各位相に対して、前記位相検波手段で生成された位相検波信号の位相エッジが対応した回数を集計し、位相エッジが集中する位相に対応してフラグを発生することを特徴とする請求項２または３記載の光ディスク再生装置。
【請求項５】
前記位相検出手段は、前記所定のウォブル周期毎に分割されたウォブルクロックのうちの、前記位相検波信号の位相エッジが集中する位相に対して、位相エッジが対応した回数が予め設定された閾値を超えた状態でフラグを発生させることを特徴とする請求項４記載の光ディスク再生装置。
【請求項６】
前記シンク検出手段は、前記制限手段により検出フラグが出力されたシンク検出時点から、前記ウォブルクロックをカウントして得られる次のシンクパターン発生位置を含む所定の範囲内で、パターン検出動作を実行することを特徴とする請求項２乃至５いずれかに記載の光ディスク再生装置。
【請求項７】
第１のウォブル信号と前記第１のウォブル信号に対して逆相関係に変調された第２のウォブル信号との組み合わせに基づいて、シンク情報及びアドレス情報が記録された光ディスクを再生するもので、
前記光ディスクから読み取った第１及び第２のウォブル信号から、前記アドレス情報の先頭位置を検出して先頭検出信号を出力する先頭検出手段と、
前記光ディスクから読み取った第１及び第２のウォブル信号から、それらの変調状態に対応した極性を有する位相検波信号を生成する位相検波手段と、
前記位相検波手段で生成された位相検波信号のうち、一定周期で得られる前記アドレス情報の位相エッジに同期した一定周期の信号を生成する生成手段と、
前記生成手段で生成された信号に同期したタイミングで前記先頭検出手段から出力される先頭検出信号を有効とし、それ以外のタイミングで得られる先頭検出信号を無効とするマスク手段とを具備したことを特徴とする光ディスク再生装置。
【請求項８】
第１のウォブル信号と前記第１のウォブル信号に対して逆相関係に変調された第２のウォブル信号とを、それぞれ特定のウォブル周期で交互に配置することによりシンクパターンを形成した第１のデータユニットでなるシンク領域と、
前記第１及び第２のウォブル信号を互いに等しいウォブル周期で任意に配置可能とする部分を有し、それぞれが前記第１のデータユニットと同じウォブル周期で構成される第２のデータユニットを複数個有し、全体でアドレス情報を形成するアドレス領域とを有し、
前記シンク領域と前記アドレス領域とを含んだ一定の記録長単位で物理アドレスが記録され、
前記物理アドレスの一定の記録長単位を構成するウォブル周期と、前記第２のデータユニットで任意に配置可能とされる前記第１及び第２のウォブル信号のウォブル周期とが、それぞれ所定のウォブル周期の倍数となっている光ディスクを再生するもので、
前記光ディスクから読み取った第１及び第２のウォブル信号から、それらの変調状態に対応した極性を有する位相検波信号を生成する位相検波手段と、
前記位相検波手段で生成された位相検波信号から、前記第２のデータユニットの先頭に対応するパターンを検出してフラグを発生するデータユニット先頭検出手段と、
前記光ディスクから読み取った第１及び第２のウォブル信号から、それらの周期に等しい周期を有するウォブルクロックを生成するクロック生成手段と、
前記クロック生成手段で生成されたウォブルクロックを前記所定のウォブル周期毎に分割し、その分割されたウォブルクロックの各位相に対して、前記位相検波手段で生成された位相検波信号の位相エッジが集中する位相を検出し、該検出された位相に対応してフラグを発生する位相検出手段と、
前記位相検出手段から出力されるフラグに基づいて、前記データユニット先頭検出手段の出力範囲を制限し、前記第２のデータユニットの先頭検出フラグを出力する制限手段とを具備したことを特徴とする光ディスク再生装置。
【請求項９】
前記クロック生成手段で生成されたウォブルクロックをカウントし、前記制限手段から出力される検出フラグでプリセットされるカウンタと、
前記カウンタのカウント値に基づいて、前記位相検波手段で生成された位相検波信号から前記アドレス領域を判別し、アドレス情報を検出するアドレス検出手段とを具備したことを特徴とする請求項８記載の光ディスク再生装置。
【請求項１０】
前記位相検出手段は、前記所定のウォブル周期毎に分割されたウォブルクロックの各位相に対して、前記位相検波手段で生成された位相検波信号の位相エッジが対応した回数を集計し、位相エッジが集中する位相に対応してフラグを発生することを特徴とする請求項８または１０記載の光ディスク再生装置。
【請求項１１】
前記位相検出手段は、前記所定のウォブル周期毎に分割されたウォブルクロックのうちの、前記位相検波信号の位相エッジが集中する位相に対して、位相エッジが対応した回数が予め設定された閾値を超えた状態でフラグを発生させることを特徴とする請求項１０記載の光ディスク再生装置。
【請求項１２】
第１のウォブル信号と前記第１のウォブル信号に対して逆相関係に変調された第２のウォブル信号との組み合わせに基づいて、シンク情報及びアドレス情報が記録された光ディスクを再生する方法で、
前記光ディスクから読み取った第１及び第２のウォブル信号から、前記シンク情報を検出してシンク検出信号を出力するシンク検出工程と、
前記光ディスクから読み取った第１及び第２のウォブル信号から、それらの変調状態に対応した極性を有する位相検波信号を生成する位相検波工程と、
前記位相検波工程で生成された位相検波信号のうち、一定周期で得られる前記アドレス情報の位相エッジに同期した一定周期の信号を生成する生成工程と、
前記生成工程で生成された信号に同期したタイミングで前記シンク検出工程で出力された検出信号を有効とし、それ以外のタイミングで得られる検出信号を無効とするマスク工程とを具備したことを特徴とする光ディスク再生方法。
【請求項１３】
第１のウォブル信号と前記第１のウォブル信号に対して逆相関係に変調された第２のウォブル信号とを、それぞれ特定のウォブル周期で交互に配置することによりシンクパターンを形成した第１のデータユニットでなるシンク領域と、
前記第１及び第２のウォブル信号を互いに等しいウォブル周期で任意に配置可能とする部分を有し、それぞれが前記第１のデータユニットと同じウォブル周期で構成される第２のデータユニットを複数個有し、全体でアドレス情報を形成するアドレス領域とを有し、
前記シンク領域と前記アドレス領域とを含んだ一定の記録長単位で物理アドレスが記録され、
前記物理アドレスの一定の記録長単位を構成するウォブル周期と、前記第２のデータユニットで任意に配置可能とされる前記第１及び第２のウォブル信号のウォブル周期とが、それぞれ所定のウォブル周期の倍数となっている光ディスクを再生する方法で、
前記光ディスクから読み取った第１及び第２のウォブル信号から、それらの変調状態に対応した極性を有する位相検波信号を生成する位相検波工程と、
前記位相検波工程で生成された位相検波信号のパターンが、予め設定されたシンクパターン雛形信号のパターンに対応した状態でフラグを発生するシンク検出工程と、
前記光ディスクから読み取った第１及び第２のウォブル信号から、それらの周期に等しい周期を有するウォブルクロックを生成するクロック生成工程と、
前記クロック生成工程で生成されたウォブルクロックを前記所定のウォブル周期毎に分割し、その分割されたウォブルクロックの各位相に対して、前記位相検波工程で生成された位相検波信号の位相エッジが集中する位相を検出し、該検出された位相に対応してフラグを発生する位相検出工程と、
前記位相検出工程で出力されたフラグに基づいて、前記シンク検出工程の出力範囲を制限し、前記シンクパターンの検出フラグを出力する制限工程とを具備したことを特徴とする光ディスク再生方法。
【請求項１４】
第１のウォブル信号と前記第１のウォブル信号に対して逆相関係に変調された第２のウォブル信号との組み合わせに基づいて、シンク情報及びアドレス情報が記録された光ディスクを再生する方法で、
前記光ディスクから読み取った第１及び第２のウォブル信号から、前記アドレス情報の先頭位置を検出して先頭検出信号を出力する先頭検出工程と、
前記光ディスクから読み取った第１及び第２のウォブル信号から、それらの変調状態に対応した極性を有する位相検波信号を生成する位相検波工程と、
前記位相検波工程で生成された位相検波信号のうち、一定周期で得られる前記アドレス情報の位相エッジに同期した一定周期の信号を生成する生成工程と、
前記生成工程で生成された信号に同期したタイミングで前記先頭検出工程で出力された先頭検出信号を有効とし、それ以外のタイミングで得られる先頭検出信号を無効とするマスク工程とを具備したことを特徴とする光ディスク再生方法。
【請求項１５】
第１のウォブル信号と前記第１のウォブル信号に対して逆相関係に変調された第２のウォブル信号とを、それぞれ特定のウォブル周期で交互に配置することによりシンクパターンを形成した第１のデータユニットでなるシンク領域と、
前記第１及び第２のウォブル信号を互いに等しいウォブル周期で任意に配置可能とする部分を有し、それぞれが前記第１のデータユニットと同じウォブル周期で構成される第２のデータユニットを複数個有し、全体でアドレス情報を形成するアドレス領域とを有し、
前記シンク領域と前記アドレス領域とを含んだ一定の記録長単位で物理アドレスが記録され、
前記物理アドレスの一定の記録長単位を構成するウォブル周期と、前記第２のデータユニットで任意に配置可能とされる前記第１及び第２のウォブル信号のウォブル周期とが、それぞれ所定のウォブル周期の倍数となっている光ディスクを再生する方法で、
前記光ディスクから読み取った第１及び第２のウォブル信号から、それらの変調状態に対応した極性を有する位相検波信号を生成する位相検波工程と、
前記位相検波工程で生成された位相検波信号から、前記第２のデータユニットの先頭に対応するパターンを検出してフラグを発生するデータユニット先頭検出工程と、
前記光ディスクから読み取った第１及び第２のウォブル信号から、それらの周期に等しい周期を有するウォブルクロックを生成するクロック生成工程と、
前記クロック生成工程で生成されたウォブルクロックを前記所定のウォブル周期毎に分割し、その分割されたウォブルクロックの各位相に対して、前記位相検波手段で生成された位相検波信号の位相エッジが集中する位相を検出し、該検出された位相に対応してフラグを発生する位相検出工程と、
前記位相検出工程で出力されたフラグに基づいて、前記データユニット先頭検出手段の出力範囲を制限し、前記第２のデータユニットの先頭検出フラグを出力する制限工程とを具備したことを特徴とする光ディスク再生方法。
【発明の詳細な説明】
【技術分野】
【０００１】
この発明は、情報記録トラックをウォブル変調することによりシンク情報及びアドレス情報が記録された光ディスクを再生する光ディスク再生装置及び光ディスク再生方法に係り、特にそのシンク情報の検出精度を高めるようにしたものに関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、追記可能なＤＶＤ−Ｒ（Recordable）等がある。
【０００４】
この種の光ディスクは、透明基板上に形成された情報記録層にレーザ光を集光することにより、情報の記録再生を行なっている。この場合、光ディスクの情報記録層には、物理的な凹部あるいは凸部でなるトラックが光ディスクと同心的に形成されており、このトラックに沿って情報の記録再生が行なわれる。
【０００５】
この場合、トラック上には、情報を記録再生する空間的な位置を特定するために、シンク情報を伴なってアドレス情報が記録されている。そして、このような光ディスクを再生する再生装置では、まず、シンク情報を検出し、その検出結果に基づいてアドレス情報の位置を判断して読み取るようにしている。
【０００６】
ここで、上記シンク情報とアドレス情報とは、トラックを形成する壁面を光ディスクの径方向に小さく蛇行（ウォブル）させ、そのウォブルに周波数変調または位相変調を施す、いわゆるウォブル変調を利用して、シンク情報とアドレス情報とをそれぞれパターン化することにより記録されている。
【０００７】
ところで、現状におけるシンク情報の検出は、まず、光ディスクから、そこに記録されているウォブル波形に対応した信号（ウォブル信号）を読み取り、その変調状態を位相差として表わす位相検波信号を生成する。そして、この位相検波信号を２値化した信号と、予め用意されたシンクパターン雛型信号とをパターン比較し、その一致状態を所定の比較区間で総合的に評価することにより行なわれる。
【０００８】
また、一定周期で得られるシンク情報の検出実績に基づいて、シンク情報が検出されると推測されるタイミングで検出窓ゲートを発生させ、この窓ゲートの発生範囲内でシンク情報が検出されるか否かにより、検出されたシンク情報の信頼性を評価することも行なっている。
【０００９】
しかしながら、上記した現状におけるシンク情報の検出手段では、ノイズや伝達特性等の影響によりウォブル信号波形が崩れると、正確なシンク情報の検出が行なわれなくなったり、逆に、アドレス情報がシンク情報と似たパターンになった場合、これをシンク情報として誤検出してしまうという問題が生じている。
【００１０】
また、検出窓ゲートを設定することにより、誤検出されたシンク情報を排除しようとしても、アドレス情報の誤検出パターンがシンク情報と同じ周期で出現した場合には、正しいシンク情報を検出することができなくなる。
【００１１】
さらに、波形が崩れたウォブル信号からもシンク情報を検出することができるように、シンクパターン雛型信号との厳密な完全一致判定を採用することなく、例えば、比較区間内で数個所の不一致は許容する等の軟判定を行なった場合には、シンクパターンの崩れ方によっては、正しいシンク位置より前後にずれて検出されてしまう場合もある。
【００１２】
特許文献１には、シンクパターンよりも所定区間前にシンク補助パターンを記録しておき、再生時に、まずシンク補助パターンを検出し、その検出されたシンク補助パターンに基づいてシンクパターンを検出する範囲を制限することにより、本来のシンクパターンの位置以外でのシンクパターンの誤検出を低減させるようにした構成が開示されている。
【００１３】
しかしながら、この特許文献１では、光ディスクにシンク補助パターンを記録しておく必要があるため、実用化し難く、また、シンク補助パターンを検出する機能を持たない光ディスク再生装置で再生した場合に、シンク補助パターンが別のパターンと誤検出され易いという不都合も生じる。
【特許文献１】特開２０００−３３１４３０号公報
【発明の開示】
【発明が解決しようとする課題】
【００１４】
そこで、この発明は上記事情を考慮してなされたもので、シンク情報を検出するための新規な情報を記録することなく、ウォブル変調によって記録されたシンク情報を高い信頼性を持って検出し得るようにした光ディスク再生装置及び光ディスク再生方法を提供することを目的とする。
【課題を解決するための手段】
【００１５】
この発明に係る光ディスク再生装置は、第１のウォブル信号と第１のウォブル信号に対して逆相関係に変調された第２のウォブル信号との組み合わせに基づいて、シンク情報及びアドレス情報が記録された光ディスクを再生するもので、光ディスクから読み取った第１及び第２のウォブル信号から、シンク情報を検出してシンク検出信号を出力するシンク検出手段と、光ディスクから読み取った第１及び第２のウォブル信号から、それらの変調状態に対応した極性を有する位相検波信号を生成する位相検波手段と、位相検波手段で生成された位相検波信号のうち、一定周期で得られるアドレス情報の位相エッジに同期した一定周期の信号を生成する生成手段と、生成手段で生成された信号に同期したタイミングでシンク検出手段から出力される検出信号を有効とし、それ以外のタイミングで得られる検出信号を無効とするマスク手段とを備えるようにしたものである。
【００１６】
また、この発明に係る光ディスク再生方法は、第１のウォブル信号と第１のウォブル信号に対して逆相関係に変調された第２のウォブル信号との組み合わせに基づいて、シンク情報及びアドレス情報が記録された光ディスクを再生する方法で、光ディスクから読み取った第１及び第２のウォブル信号から、シンク情報を検出してシンク検出信号を出力するシンク検出工程と、光ディスクから読み取った第１及び第２のウォブル信号から、それらの変調状態に対応した極性を有する位相検波信号を生成する位相検波工程と、位相検波工程で生成された位相検波信号のうち、一定周期で得られるアドレス情報の位相エッジに同期した一定周期の信号を生成する生成工程と、生成工程で生成された信号に同期したタイミングでシンク検出工程で出力された検出信号を有効とし、それ以外のタイミングで得られる検出信号を無効とするマスク工程とを備えるようにしたものである。
【発明の効果】
【００１７】
上記した発明によれば、光ディスクから読み取った第１及び第２のウォブル信号から、それらの変調状態に対応した極性を有する位相検波信号を生成し、その位相検波信号のうち、一定周期で得られるアドレス情報の位相エッジに同期した一定周期のタイミングで出力されたシンク検出信号を有効とし、それ以外のタイミングで得られるシンク検出信号を無効とするようにしたので、シンク情報を検出するための新規な情報を記録することなく、ウォブル変調によって記録されたシンク情報を高い信頼性を持って検出することが可能となる。
【発明を実施するための最良の形態】
【００１８】
以下、この発明の実施の形態について図面を参照して詳細に説明する。まず、図１は、ウォブル変調規則について説明している。すなわち、図１（ａ）に示すように、通常ウォブルとの位相差が０°である無変調のウォブルＮＰＷと、図１（ｂ）に示すように、通常ウォブルとの位相差が１８０°である変調させたウォブルＩＰＷとが用意される。
【００１９】
そして、これらＮＰＷとＩＰＷとを組み合わせることにより、シンク情報やアドレス情報（アドレス変調符号）等を表わしている。ここで、ＮＰＷからＩＰＷに変化する点、及びＩＰＷからＮＰＷに変化する点を、以下、位相エッジと称する。光ディスクは、その内外周で記録容量を均一にするために、径方向に複数のゾーンに分割されている。
【００２０】
図２は、物理アドレスの構造を説明している。すなわち、記録再生型光ディスクの物理アドレス情報は、ＷＡＰ（Wobble Address in Periodic position）と称される記録長単位毎に１つずつ埋め込まれている。
【００２１】
この物理アドレス情報の内訳は、“セグメント情報”、“セグメントアドレス”、“ゾーンアドレス”、“パリティアドレス”、“グルーブトラックアドレス”及び“ランドトラックアドレス”である。
【００２２】
１つのＷＡＰは、ＷＤＵ（Wobble Data Unit）と称される１７組のユニットに分かれており、先頭のＷＤＵがシンク情報を持つ“シンク領域”であり、続く１３組のＷＤＵがアドレス変調符号情報を持つ“アドレス領域”であり、残り３組のＷＤＵがウォブル無変調区間の“ユニティ領域”である。
【００２３】
ＷＤＵは、ウォブル８４波、ＷＡＰはウォブル１４２８（８４×１７）波で構成されている。シンク情報とアドレス変調符号とは、光ディスク上の固定された相対位置に埋め込まれているので、シンク先頭位置を特定することでアドレス変調符号の読み取りタイミングの同期化をＷＡＰ毎に図ることができる。このため、光ディスクから正確なシンク情報を検出することが非常に重要となる。
【００２４】
図３は、シンク情報パターンの先頭とアドレス変調符号のビットクロックとの関係を示している。図３に示すように、ＡＯＤ−ＲＡＭのディスク規格では、ＷＡＰ内のアドレス領域は、先頭のウォブル４波を先頭識別用にＩＰＷとする。その後は、ウォブル４波を1組とした同符号パターンで物理アドレスの１ビットを形成し、これが３ビット分（bit２，bit１，bit０）連続させる。残るウォブル６８波はＮＰＷとする。
【００２５】
このようなパターン構成により、１つのアドレス領域には、多くて４箇所、少なくても２箇所の位相エッジ（位相の符号が変化する点）が、４の整数倍のウォブル周期で存在することになる。また、ＷＤＵも、４の整数倍のウォブル周期（８４波）であるため、アドレス変調符号のビットクロックは、ＷＡＰの先頭から4ウォブル周期となる。
【００２６】
一方、シンク領域のシンクパターン構成は、図３に示すように、ＷＤＵの先頭からウォブル６波をＩＰＷ、続く４波をＮＰＷ、次の６波をＩＰＷとし、残る６８波はＮＰＷとなっている。このようなシンクパターンを、以下、“６Ｔ−４Ｔ−６Ｔ”と表記する。
【００２７】
光ディスクの構成上、シンク領域はＷＡＰの最初にあるＷＤＵなので、シンクパターンの先頭位相エッジ（以下、シンク先頭位置という）は、ＷＡＰの先頭と一致している。このため、シンク先頭位置の周期は、ＷＡＰの周期、つまり１４２８ウォブル周期であり、ＷＡＰの同期化は、シンク先頭位置を検出し、検出結果がＷＡＰの先頭からずれている場合に、これを補正するように行なわれる。
【００２８】
図３に示すように、アドレス変調符号のビットクロック周期は、ウォブル４波分の周期に相当するため、ＷＡＰの先頭に位置するシンク先頭位置は、アドレス変調符号のビットクロックに対して、全てのＷＡＰにおいて同じ差を保つことになる。図３に示す“ｎ”がシンク先頭位置とアドレス変調符号のビットクロックとの一定差である。
【００２９】
そこで、詳細は後述するが、ウォブル１波毎に位相を４ウォブル周期で振り分けると、アドレス変調符号のビットクロックから相対的にシンク先頭位置が出現する位相を、４分の１に絞り込むことができる。
【００３０】
位相検波信号をウォブル１波毎に４周期で振り分ける（以下、この4周期で振り分けた各位相を４周期位相と称する）と、アドレス変調符号のビットクロックの４周期位相は、全ての位相エッジを集計したときに最も多く位相エッジが集まる４周期位相と同じ位相となる。これは、全位相エッジの大多数を占めているのがアドレス変調符号の位相エッジであるためである。
【００３１】
具体的に説明すると、図２で示したように、１つのＷＡＰ内でシンクパターンの位相エッジ数は４箇所だけ存在するのに対し、アドレス変調符号の位相エッジ数はアドレス領域１３組で２６〜５２箇所と多いことが原因する。ただし、動作開始直後は、シンクパターンの位相エッジ数とアドレス変調符号の位相エッジ数との差が少ないため、アドレス変調符号のビットクロックの精度が低くなることに注意を払う必要がある。
【００３２】
このように、アドレス変調符号のビットクロックからシンク先頭位置の４周期位相が判り、その結果をシンクパターン一致検出方法で求めたシンク先頭位置にマスク掛けすることによって、シンク先頭位置が出現し得る位置を全範囲の４分の１に絞り込むことができる。
【００３３】
その結果、シンク先頭位置とは異なる偽シンク先頭位置の検出を低減し、シンク検出の精度を向上させることができる。そして、正しいシンク先頭位置検出は、正しいＷＡＰの同期化を行ない、信頼性の高いウォブルアドレスコーディングを実現することになる。
【００３４】
図４は、上記した手法にてシンク先頭位置を検出するためのシンク検出回路の一例を示している。まず、光ディスクから読み取られたウォブル信号は、位相検波部１１に供給されて位相検波されることにより、ＮＰＷとＩＰＷとでレベルの異なる２値の位相検波信号に変換される。そして、この位相検波部１１から出力される位相検波信号は、アドレス検出部１２、シンクパターン一致検出部１３及び位相エッジ検出部１４にそれぞれ供給される。
【００３５】
また、光ディスクから読み取られたウォブル信号は、ウォブルＰＬＬ（Phase Locked Loop）部１５に供給されてウォブル信号と等しい周期のウォブルクロックが生成される。そして、このウォブルＰＬＬ部１５から出力されるウォブルクロックは、上記位相エッジ検出部１４に供給されるとともに、１４２８周期カウンタ１６にカウント用クロックとして供給される。
【００３６】
ここで、上記位相エッジ検出部１４は、入力された位相検波信号の位相エッジ（極性反転部）を検出して位相エッジ検出パルスを発生する。また、この位相エッジ検出部１４は、入力されたウォブルクロックを４周期毎に分割する。ここでは、入力されたウォブルクロックを、１周期ずつ順にＡ，Ｂ，Ｃ，Ｄ，Ａ，Ｂ，Ｃ，Ｄ，……なる４周期位相に区分けしていく。
【００３７】
そして、この位相エッジ検出部１４は、位相検波信号の位相エッジが、４周期位相Ａ，Ｂ，Ｃ，Ｄのいずれで出現されたかを集計する。具体的には、位相エッジ検出部１４は、４周期位相Ａ，Ｂ，Ｃ，Ｄに対応する４つのカウンタを内蔵し、例えば位相エッジ検出パルスが４周期位相Ａのタイミングで発生されたとき、４周期位相Ａに対応するカウンタをカウントアップさせる。
【００３８】
これにより、所定の期間で計測された、４周期位相Ａ，Ｂ，Ｃ，Ｄに対応する４つのカウンタの各カウント値を比較することにより、最も多く位相エッジが出現する４周期位相を検出することができる。そして、位相エッジ検出部１４は、例えば、４周期位相Ａに対応するカウンタのカウント値が最も大きければ、４周期位相Ａをエッジ集中点とし、そのエッジ集中点に対応する４周期位相Ａを示す信号を４倍周期発生部１７に出力する。
【００３９】
この４倍周期発生部１７は、入力されたエッジ集中点に対応する４周期位相を示す信号に基づいて、シンク先頭位置に対応したシンク先頭４周期フラグを発生する。
【００４０】
一方、上記シンクパターン一致検出部１３は、入力された位相検波信号と、予め用意されたシンクパターン雛型信号とをパターン比較し、一致が検出された状態で、パターン一致フラグを発生する。
【００４１】
そして、４倍周期発生部１７で発生されたシンク先頭４周期フラグと、シンクパターン一致検出部１３で発生されたパターン一致フラグとを、アンド回路１８で論理積をとった信号をシンク先頭検出フラグとし、このシンク先頭検出フラグで１４２８周期カウンタ１６をプリセットする。つまり、シンク先頭４周期フラグの発生されていない状態では、パターン一致フラグが発生されたとしても、それはアンド回路１８によってマスクされ、１４２８周期カウンタ１６に対して無効とされる。
【００４２】
これにより、１４２８周期カウンタ１６は、信頼性の高いシンク先頭位置検出結果に基づいて１ＷＡＰ分に対応するウォブル周期（１４２８）を循環的にカウントすることができる。そして、上記アドレス検出部１２は、１４２８周期カウンタ１６の出力カウント値に基づいて、入力された位相検波信号がアドレス領域のものであるか否かを検出し、アドレス情報を取得することができる。
【００４３】
図４に示したシンク検出回路の動作を、図５（ａ），（ｂ）に示すタイミング図を参照して詳細に説明する。まず、図４の位相エッジ検出部１４で位相エッジが４周期位相のどこに出現したかを集計するため、光ディスクから読み出して生成した位相検波信号を４周期で一巡の位相に振り分ける。
【００４４】
ここでは、順にウォブル１波ずつＡ，Ｂ，Ｃ，Ｄ，Ａ，Ｂ，Ｃ，Ｄ，Ａ，……と区分けしている。４周期の区分けは、シンク検出回路の動作開始から順番に振り分ける方法と、ＷＡＰの同期化を行なうためのフライホイールカウンタ（図４の１４２８周期カウンタ１６）の値に張り付ける方法が考えられる。
【００４５】
そして、位相検波信号から位相エッジを検出する際には、シンク情報の位相エッジかアドレス変調符号の位相エッジかを区別せず、総ての位相エッジを一緒に検出する。位相エッジとみなす条件は、連続するウォブル２波で符号が変化した箇所とする。または、連続するウォブル２波の微分値で、予め設定した閾値を超えた箇所とする方法でもよい。
【００４６】
また、通常、位相エッジは、最低でもウォブル４波の間隔で出現するため、例えば図５（ｂ）に示すように、２波といった短い間隔で２度発生した位相エッジは、ノイズとみなし除外するようにしてもよい。
【００４７】
次に、検出した位相エッジが、４周期位相Ａ〜Ｄのどの位相で出現したか集計をとり、最も多く位相エッジが出現する4周期位相をエッジ集中点とする。位相エッジの集計方法としては、例えば４周期位相Ａ，Ｂ，Ｃ，Ｄそれぞれにカウンタを用意し、位相エッジが検出されたらカウントアップする方法等が考えられる。図５（ａ）では、４周期位相Ａのカウンタ及びＣのカウンタのカウント値を示している。
【００４８】
連続した位相検波信号におけるアドレス変調符号の位相エッジは、４周期位相Ａ〜Ｄのどれか1つに集中する。このエッジ集中点がアドレス変調符号のビットクロックの４周期位相である。
【００４９】
位相エッジ数が同数になった場合は、今までの４周期位相を継続する方法と、新たに並んだ４周期位相に変更する方法とを選択できるようにする。また、新しいエッジ集中点を決定する位相エッジの集計範囲は、シンク検出回路の動作開始時点から現時点までの総てを対象とする。
【００５０】
ただし、シンク検出回路の動作開始時点から現時点までの総ての位相エッジを集計しても、ＩＩＲフィルタ等を用いて新しい結果が得られるたびに古い結果から少しずつ捨てていく方法や、集計範囲を限定するフラグを用意し、このフラグが有効時に出現した位相エッジのみ集計する方法をとってもよい。また、集計結果をリセットするフラグを用意してもよい。
【００５１】
また、位相エッジ検出部１４は、エッジ集中点を検出する他に、エッジ集中点とそれ以外の４周期位相との差がどのくらいの程度かを示す位相エッジ分散度を求め、それに対応した信号を出力するようにしてもよい。
【００５２】
例えば、位相エッジを集計するために４周期位相Ａ〜Ｄに対応して設けられた各カウンタのカウント値の差を比較して、エッジ集中点が１つだけ抜け出て多い状態、エッジ集中点に近い４周期位相がある状態、４つの位相に平均的に分散している状態等を検出し、各状態を示す判別信号を出力してもよい。この位相エッジ分散度を用いて、例えば、エッジ集中点が１つだけ抜け出て多い状態のときのみ、そのエッジ集中点を出力するなど制限をかけてもよい。
【００５３】
図４の４倍周期発生部１７は、求められたエッジ集中点からシンク先頭位置の４周期位相を求め、シンク先頭４周期フラグを発生する回路である。アドレス変調符号の４周期位相とシンク先頭位置の４周期位相との差は、光ディスクの規格で固定されているので、４倍周期発生部１７に取り込まれたエッジ集中点から、その差分だけ補正した４周期位相にフラグを立てる。
【００５４】
例えば、アドレス変調符号とシンク先頭位置との４周期位相の差が“２”で、エッジ集中点が４周期位相Ａの場合、シンク先頭４周期フラグは４周期位相Ｃで発生させる。
【００５５】
ＡＯＤ−ＲＡＭのディスク規格では、シンク先頭位置とアドレス変調符号との４周期位相は同じ位相であるため、エッジ集中点として求められた４周期位相にそのままシンク先頭４周期フラグを立てる。
【００５６】
エッジ集中点が他の４周期位相に変化しない限り、シンク先頭４周期フラグはウォブル４周期毎に発生されることになる。ただし、起動直後のように、位相エッジの集計数が少ない状態では、エッジ集中点が高い精度で得られないため、エッジ集中点の判定に閾値（以下、４周期フラグ閾値）を設け、位相エッジ数が４周期フラグ閾値を越えるまでシンク先頭４周期フラグを無効にするよう制限を設ける。
【００５７】
４周期フラグ閾値は、外部設定できるようにする。図５では、４周期フラグ閾値が“３”のため、４周期位相Ａのカウンタが“４”になったところからシンク先頭４周期フラグが出力されている。
【００５８】
また、４倍周期発生部１７がエッジ集中点を取り込むタイミングは、常に実時間で位相エッジの集計結果をエッジ集中点として逐一取り込む方法と、特定の時間間隔をおいて周期的に取り込む方法とを選択できるようにする。以上の回路構成からシンク先頭位置の４周期位相が求められる。
【００５９】
図６及び図７は、上記シンクパターン一致検出部１３の動作を説明するためのタイミング図である。図６は、シンク情報が検出されなかった場合の動作を示し、図７は、シンク情報が検出された場合の動作を示している。
【００６０】
すなわち、光ディスクから読み取られたウォブル信号は、位相検波部１１によりウォブルの変調を位相検波信号として検出され、符号により２値化される。ここでは、位相検波信号の極性が正なら“１”、負なら“０”とする。
【００６１】
そして、シンクパターン一致検出部１３は、２値化した位相検波信号とシンクパターン雛型信号とのパターン比較を行ない、一致したらパターン一致フラグを発生する。
【００６２】
ここで、シンクパターン雛形信号とは、前述した“６Ｔ−４Ｔ−６Ｔ”を“０−１−０”のパターンにしたものである。一致判定方法は、ウォブル信号の１周期ずつ、位相検波信号とシンクパターン雛型信号との論理積をとり、比較区間のウォブル全てで一致が確認できたらシンクパターン一致検出とみなす完全判定と、比較区間の特定数以上のウォブルで一致が確認できたらシンクパターン一致検出とみなす軟判定とを選べるようにする。図６及び図７は完全判定の例である。
【００６３】
また、シンクパターン一致検出を行なう位置を、前回のシンク検出位置に基づいて、特定の範囲に限定するような窓ゲートを発生できるようにしてもよい。例えば、図８に示すように、前回のシンク検出位置から“１４２８±１”ウォブル周期位置でのみシンクパターン一致検出を行なうようにすることが可能である。
【００６４】
図９は、シンク先頭検出フラグの生成方法を示している。すなわち、シンクパターン一致検出で検出したパターン一致フラグと、位相エッジの４周期位相から求めたシンク先頭4周期フラグの論理積をとった結果を、シンク先頭検出フラグとしている。
【００６５】
図１０（ａ），（ｂ）は、シンクパターン一致検出部１３が歪んだアドレス変調符号を偽シンクとして検出した場合、シンク先頭４周期フラグをマスクすることにより得られる効果を説明している。すなわち、シンクパターン一致検出部１３では、位相検波信号の歪み等の影響をそのまま受けてしまう。また、アドレス変調符号が歪んだものをシンクパターンと誤検出してしまう可能性がある。
【００６６】
例えば、図１０（ｂ）に示すように、ＮＰＷ４波−ＩＰＷ４波−ＮＰＷ４波のアドレス変調符号において、本来ＮＰＷである先頭識別位置手前の２波とbit０の前２波（不定部分）とが共にＩＰＷに歪んでしまうと、bit２をＮＰＷ４波としたＩＰＷ６波−ＮＰＷ４波−ＩＰＷ６波のシンクパターンと一致したと判定し、偽シンクが検出されてしまう。
【００６７】
しかし、シンク先頭位置の４周期位相に注目すると、図１０（ａ）のシンクパターンに示すように、真のシンクに対応する４周期位相は“Ａ”であるのに対し、アドレス変調符号が歪んだ偽シンクの４周期位相は“Ｃ”であるため、シンクでないと判定できる。
【００６８】
次に、シンク先頭検出フラグによりＷＡＰの同期を図る方法について説明する。現状のシステムでは、ウォブル１４２８波で１周するフライホイールカウンタによりＷＡＰを記録長単位毎に区切っており、シンクパターン一致検出フラグが有効になったところでこのカウンタを特定値にプリセットしＷＡＰの同期を図っている。
【００６９】
これに対し、この実施の形態では、図４に示したように、パターン一致フラグと位相エッジ集中点フラグ（シンク先頭４周期フラグ）との論理積をとったものをシンク先頭検出フラグとし、１４２８周期カウンタ１６のプリセットを行ないＷＡＰの同期を図るようにしている。
【００７０】
図１１は、上記したシンク検出回路の動作をまとめたフローチャートを示している。すなわち、処理を開始（ステップＳ１）すると、ステップＳ２で、ウォブル信号に位相検波処理を施し位相検波信号を生成する。そして、この位相検波信号に基づいて、ステップＳ３で、シンクパターンの一致検出処理を行い、ステップＳ４で、シンク先頭４周期フラグを生成する。
【００７１】
その後、ステップＳ５で、パターン一致フラグが有効で、かつ、シンク先頭４周期フラグが有効な状態、つまり、パターン一致フラグとシンク先頭４周期フラグとの論理積がとれたか否かを判別し、ＹＥＳである場合、ステップＳ６で、１４２８周期カウンタ１６をプリセットし、ＮＯである場合、ステップＳ７で、１４２８周期カウンタ１６をカウントアップさせる。
【００７２】
次に、ステップＳ８で、１４２８周期カウンタ１６のカウント値がアドレス位置に対応する値になったか否かを判別し、ＮＯである場合、ステップＳ２の処理に戻り、ＹＥＳである場合、ステップＳ９で、アドレス検出を行なって、処理を終了（ステップＳ１０）する。
【００７３】
図１２は、上記ステップＳ４におけるシンク先頭４周期フラグの生成動作をまとめたフローチャートを示している。すなわち、処理を開始（ステップＳ１１）すると、ステップＳ１２で、ウォブル信号に位相検波処理を施して位相検波信号を生成し、ステップＳ１３で、位相検波信号から位相エッジを検出する。
【００７４】
その後、ステップＳ１４で、４周期位相で位相エッジを検出できたか否かを判別し、ＹＥＳである場合、ステップＳ１５で、４周期位相Ａ，Ｂ，Ｃ，Ｄそれぞれに対応して用意されたカウンタをカウントアップする。
【００７５】
このステップＳ１５の後、または、上記ステップＳ１４でＮＯである場合、ステップＳ１６で、各カウンタのカウント値を集計してエッジ集中点を求め、ステップＳ１７で、シンク先頭位置の４周期位相を求め、シンク先頭４周期フラグを生成して、処理を終了（ステップＳ１８）する。
【００７６】
ここで、上記した実施の形態では、シンク情報を検出する際の信頼性を向上させることについて説明したが、この発明は、シンク情報の検出のみに限らず、例えばＷＤＵの先頭を検出する際の信頼性を向上させることにも適用することができる。
【００７７】
図１３は、ＷＤＵの先頭を検出する回路の一例を示している。図１３において、図４と異なる部分は、前記シンクパターン一致検出部１３をＷＤＵ先頭検出部１９に変更し、１４２８周期カウンタ１６を８４周期カウンタ２０に変更した点である。
【００７８】
ここで、ＷＤＵ先頭検出部１９は、入力された位相検波信号のパターンに基づいてＷＤＵの先頭を検出している。すなわち、図２に示したように、ＷＤＵの前には、ウォブル６８波以上の長さのＮＰＷに対応した位相検波信号が存在し、ＷＤＵの先頭にはウォブル４波以上の長さのＩＰＷに対応した位相検波信号が存在している。
【００７９】
このため、ＷＤＵ先頭検出部１９は、相当の長さのＮＰＷに対応した位相検波信号の後に、ウォブル４波分の長さのＩＰＷに対応した位相検波信号が出現するパターンを検出することにより、ＷＤＵの先頭を検出し、ＷＤＵ先頭フラグを発生している。
【００８０】
そして、このＷＤＵ先頭フラグと４倍周期発生部１７から出力されるシンク先頭４周期フラグとを、アンド回路１８で論理積をとった信号をＷＤＵ先頭検出フラグとし、このＷＤＵ先頭検出フラグで８４周期カウンタ２０をプリセットする。これにより、８４周期カウンタ２０は、信頼性の高いＷＤＵ先頭位置検出結果に基づいて１ＷＤＵ分に対応するウォブル周期（８４）を循環的にカウントすることができる。
【００８１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８２】
【図１】この発明の実施の形態を示すもので、ウォブルＮＰＷとウォブルＩＰＷとを説明するために示す図。
【図２】同実施の形態における光ディスクに記録されるデータのＷＡＰ構成を説明するために示す図。
【図３】同実施の形態における位相検波信号とアドレス変調符号のビットクロックとの関係を説明するために示す図。
【図４】同実施の形態におけるシンク検出回路の一例を説明するために示すブロック構成図。
【図５】同実施の形態におけるシンク検出回路のシンク先頭４周期フラグを生成する動作を説明するために示すタイミング図。
【図６】同実施の形態におけるシンク検出回路のパターン一致フラグが出力されない場合の動作を説明するために示すタイミング図。
【図７】同実施の形態におけるシンク検出回路のパターン一致フラグが出力された場合の動作を説明するために示すタイミング図。
【図８】同実施の形態における窓ゲートを発生させてシンク検出範囲を制限することを説明するために示す図。
【図９】同実施の形態におけるシンク先頭検出フラグの生成方法を説明するために示す図。
【図１０】同実施の形態におけるアドレス変調符号が偽シンクとして検出された場合の対処を説明するために示す図。
【図１１】同実施の形態におけるシンク検出回路の動作を説明するために示すフローチャート。
【図１２】同実施の形態におけるシンク先頭４周期フラグを生成する動作を説明するために示すフローチャート。
【図１３】同実施の形態におけるＷＤＵの先頭を検出する回路の一例を説明するために示すブロック構成図。
【符号の説明】
【００８３】
１１…位相検波部、１２…アドレス検出部、１３…シンクパターン一致検出部、１４…位相エッジ検出部、１５…ウォブルＰＬＬ部、１６…１４２８周期カウンタ、１７…４倍周期発生部、１８…アンド回路、１９…ＷＤＵ先頭検出部、２０…８４周期カウンタ。
【図１】
2005190561.tif 000003
【図２】
2005190561.tif 000004
【図３】
2005190561.tif 000005
【図４】
2005190561.tif 000006
【図５】
2005190561.tif 000007
【図６】
2005190561.tif 000008
【図７】
2005190561.tif 000009
【図８】
2005190561.tif 000010
【図９】
2005190561.tif 000011
【図１０】
2005190561.tif 000012
【図１１】
2005190561.tif 000013
【図１２】
2005190561.tif 000014
【図１３】
2005190561.tif 000015